(57)【特許請求の範囲】
【請求項１】
鍵フレームに対し回動支点部を介して自由端側を上下動自在に支持された黒鍵であって、黒色系の半透明材料で形成された上壁、側壁及び自由端側の前壁を有し内部に中空部を形成した鍵本体と、該鍵本体の上壁の内面に沿って設けられ光を鍵の内側に向かって拡散すると共に外側に向かって拡散しつつ透過させる拡散層と、前記中空部に配置され前記鍵本体に沿って延びる透光性の導光体と、前記鍵本体の下部に設けられた光導入部とを備え、前記導光体は、前記光導入部に入射した光が該導光体を通過し少なくとも一部が前記拡散層を介して前記鍵本体から放出されるように前記中空部に配置されていることを特徴とする電子鍵盤楽器用黒鍵。
【請求項２】
鍵フレームに対し回動支点部を介して自由端側を上下動自在に支持された黒鍵であって、黒色系の半透明材料で形成された上壁、側壁及び自由端側の前壁を有し内部に中空部を形成した鍵本体と、該鍵本体の上壁の内面に沿って設けられ光を鍵の内側に向かって拡散すると共に外側に向かって拡散しつつ透過させる拡散層と、前記中空部に配置され前記鍵本体に沿って延びる透光性の導光体と、該導光体の下面に沿って延びる反射体と、前記導光体における前記反射体に覆われない面に臨むようにして前記鍵本体の下部に設けられた光導入部とを備え、前記導光体は、前記光導入部に入射した光が該導光体を通過し少なくとも一部が前記拡散層を介して前記鍵本体から放出されるように前記中空部に配置されていることを特徴とする電子鍵盤楽器用黒鍵。
【請求項３】
前記光導入部が、前記鍵本体の後端部であって、白鍵の上面が位置する高さより下方に位置していることを特徴とする請求項１又は２に記載の電子鍵盤楽器用黒鍵。
【請求項４】
前記側壁の内面に係止部が設けられ、該係止部により前記中空部内に位置する部材が保持されていることを特徴とする請求項１又は２に記載の電子鍵盤楽器用黒鍵。
【請求項５】
前記拡散層が前記上壁、側壁及び前壁の内面に沿って設けられていることを特徴とする請求項３又は４に記載の電子鍵盤楽器用黒鍵。
【請求項６】
前記光導入部が前記鍵本体の後部に設けられ、前記拡散層における前記前壁内面に沿う部分が他の部分より厚くなっていることを特徴とする請求項５に記載の電子鍵盤楽器用黒鍵。
【請求項７】
前記光導入部が前記鍵本体の後部に設けられ、前記反射体が、前記前壁に近づくほど上昇するように傾斜していることを特徴とする請求項２に記載の電子鍵盤楽器用黒鍵。
【請求項８】
前記前壁が前記自由端から後方へ上昇して前記上壁に達する傾斜壁を有しており、前記光導入部が前記鍵本体の後部に設けられ、前記反射体は、前記前壁に近づくほど前記上壁に接近するように傾斜し且つ前端が前記傾斜壁の下端又は該下端より下方に位置していることを特徴とする請求項２に記載の電子鍵盤楽器用黒鍵。
【請求項９】
前記反射体における前記上壁に向く面が、黒鍵の長手方向に垂直な断面において下方へ凸をなす形状となっていることを特徴とする請求項２に記載の電子鍵盤楽器用黒鍵。
【請求項１０】
前記光導入部が前記鍵本体の後端部に設けられ、前記反射体における前記導光体に向く面が、後方へ行くほど下方へ傾斜する後傾面を一部に備えていることを特徴とする請求項２に記載の電子鍵盤楽器用黒鍵。
【発明の詳細な説明】
【技術分野】
【０００１】
本発明は、電子ピアノ、電子オルガン、シンセサイザー等の電子鍵盤楽器に用いる鍵盤装置のための黒鍵に関する。
【背景技術】
【０００２】
電子ピアノや電子オルガン等においては、各鍵の下方に発光手段を置き、制御部から送られる信号に基づいて発光手段により次々と所定の鍵を光らせる機能を備えたものがある。この機能によれば、楽曲に従ったプログラムに基づいて鍵を順次発光させることにより、演奏者に押すべき鍵を教えて誘導することができる。また、押鍵した鍵を発光させることにより、押鍵状態を目で確認できるようにして確実な押鍵動作を促すようにしたものもある。
【０００３】
これらの場合、鍵の一部を光らせたのでは演奏する手や指で発光部分が隠れてしまい、演奏者が判別し難いことがある。一方、鍵の下方に置く発光手段としては、コストや発熱の問題から光源の数や発光量に制限が伴う。したがって、限られた発光手段からの光で鍵の広い範囲を光らせるための提案が種々行なわれている。
【０００４】
たとえば、特許文献１に記載された鍵盤装置では、半透明材料で形成された鍵の下方にＬＥＤを配置し、その下方に反射板を置いている。これは、ＬＥＤから発せられた光の内、上方へ向かうものは鍵を直接照射し、下方へ向かうものは反射板で反射されて鍵を照射することにより、照射範囲が広げようとするものである。
【０００５】
特許文献２に記載されたものは、鍵の後端面に光ファイバの出射端を配置し、押鍵面の左右両端部に設けた段部の下面を粗面した構造を有する。これは、鍵の後端面から入射した光を、鍵の壁部自体で全反射により伝搬させながら、粗面での乱反射により上方へ漏出させて外部から見えるようにしたものである。
【０００６】
特許文献３に記載の鍵盤装置は、鍵の壁部を形成する材料として、ベースポリマーに光拡散剤と着色剤を加えたものを使用しおり、鍵下方の光源からの光を鍵の壁部で拡散することにより、光源が直視されるのを防止し色調を整えようとするものである。
【特許文献１】特開平８−８３０７３号公報
【特許文献２】特開２００３−１５０１５９号公報（段落番号０１００〜０１１４）
【特許文献２】特開２００１−３４２６８号公報
【発明の開示】
【発明が解決しようとする課題】
【０００７】
しかしながら、特許文献１に記載の鍵盤では、発光時に明るくなる部分が、鍵における光源と反射板との付近に限られてしまい、広い範囲が光るようには見えない。特許文献２の構造では、明るくなるのが、粗面化された鍵の左右両端部に限られ、やはり鍵の広い範囲が光るようには見えない。特許文献３の鍵盤装置は、鍵の壁部で光を拡散するので、白鍵の場合には有利であるが、黒鍵の場合は、黒色着色剤による光の吸収が強いので後端部から入射した光を鍵の広い範囲（特に鍵上面）に十分に到達させることはできない。
【０００８】
このように、従来の技術によっては発光手段の発光時に鍵の広い範囲を明るくすることは困難であり、特に黒鍵は、黒色着色剤を使用するので、この問題は解決されていない。
【０００９】
本発明は、この従来技術の問題を解決し、発光手段からの光を受けて広い範囲に亘って光るように見える電子鍵盤楽器用黒鍵を提供することを目的とする。
【課題を解決するための手段】
【００１０】
（１）本発明は、前記目的を達成するために、鍵フレームに対し回動支点部を介して自由端側を上下動自在に支持された黒鍵であって、黒色系の半透明材料で形成された上壁、側壁及び自由端側の前壁を有し内部に中空部を形成した鍵本体と、該鍵本体の上壁の内面に沿って設けられ光を鍵の内側に向かって拡散すると共に外側に向かって拡散しつつ透過させる拡散層と、前記中空部に配置され前記鍵本体に沿って延びる透光性の導光体と、前記鍵本体の下部に設けられた光導入部とを備え、前記導光体は、前記光導入部に入射した光が該導光体を通過し少なくとも一部が前記拡散層を介して前記鍵本体から放出されるように前記中空部に配置されていることを特徴とする電子鍵盤楽器用黒鍵を提供するものである。
【００１１】
この黒鍵においては、光導入部から入射した光は導光体内で一部が全反射しながら進行して該導光体から放出されることになり、光導入部から離れた位置まで多量の光が到達する。導光体から出た光は、鍵本体を経て外部へ放射されるが、内側に拡散層が設けられている箇所では、光が拡散層に入射し、そこで拡散された光が鍵本体を内側から照らす。その結果、外部から見ると黒鍵の広い範囲が光って見える。
【００１２】
なお、本明細書及び特許請求の範囲においては、電子楽器及びその鍵盤における演奏者に近い方を前方、遠い方を後方と称することとする。
（２）本発明はまた、前記目的を達成するために、鍵フレームに対し回動支点部を介して自由端側を上下動自在に支持された黒鍵であって、黒色系の半透明材料で形成された上壁、側壁及び自由端側の前壁を有し内部に中空部を形成した鍵本体と、該鍵本体の上壁の内面に沿って設けられ光を鍵の内側に向かって拡散すると共に外側に向かって拡散しつつ透過させる拡散層と、前記中空部に配置され前記鍵本体に沿って延びる透光性の導光体と、該導光体の下面に沿って延びる反射体と、前記導光体における前記反射体に覆われない面に臨むようにして前記鍵本体の下部に設けられた光導入部とを備え、前記導光体は、前記光導入部に入射した光が該導光体を通過し少なくとも一部が前記拡散層を介して前記鍵本体から放出されるように前記中空部に配置されていることを特徴とする電子鍵盤楽器用黒鍵を提供するものである。
【００１３】
この黒鍵においては、光導入部から入射した光は、導光体内で一部が全反射しながら進行して該導光体から放出されることになり、光導入部から離れた位置まで多量の光が到達する。導光体から出た光は、鍵本体を経て外部へ放射されるが、内側に拡散層が設けられている箇所では、光が拡散層に入射し、そこで拡散された光が鍵本体を内側から照らす。また、導光体から下方へ放出される光は、前記反射体に反射して上方へ向きを変え、再び導光体や拡散層側へと進行する。これにより、入射した光は黒鍵を光らせるのに有効に利用され、黒鍵はより明るく光るように見える。その結果、外部から見ると黒鍵のより広い範囲が光って見える。
（３）前記（１）及び（２）の黒鍵は、前記光導入部が、前記鍵本体の後端部であって、白鍵の上面が位置する高さより下方に位置しているものとすることができる。
（４）前記（１）及び（２）の黒鍵は、前記側壁の内面に係止部が設けられ、該係止部により前記中空部内に位置する部材が保持されているものとすることができる。
（５）前記（３）及び（４）の黒鍵は、前記拡散層が前記上壁、側壁及び前壁の内面に沿って設けられているものとすることができる。
（６）前記（５）の黒鍵は、前記光導入部が前記鍵本体の後部に設けられ、前記拡散層における前記前壁内面に沿う部分が他の部分より厚くなっているものとすることができる。
（７）前記（２）の黒鍵は、前記光導入部が前記鍵本体の後部に設けられ、前記反射体が、前記前壁に近づくほど上昇するように傾斜したものとすることができる。
（８）前記（２）の黒鍵は、前記前壁が前記自由端から後方へ上昇して前記上壁に達する傾斜壁を有しており、前記光導入部が前記鍵本体の後部に設けられ、前記反射体は、前記前壁に近づくほど前記上壁に接近するように傾斜し且つ前端が前記傾斜壁の下端又は該下端より下方に位置しているものとすることができる。
（９）前記（２）の黒鍵は、前記反射体における前記上壁に向く面が、黒鍵の長手方向に垂直な断面において下方へ凸をなす形状となっているものとすることができる。
（１０）前記（２）の黒鍵は、前記光導入部が前記鍵本体の後端部に設けられ、前記反射体における前記導光体に向く面が、後方へ行くほど下方へ傾斜する後傾面を一部に備えているものとすることができる。
【発明の効果】
【００１４】
以上のように、本発明によれば、発光手段からの光を受けて広い範囲に亘って光るように見える電子鍵盤楽器用黒鍵を提供することができる。
【発明を実施するための最良の形態】
【００１５】
以下、本発明の実施形態について添付図面を参照しつつ説明する。図面中の同一又は同種の部分については、同じ番号を付して説明を省略することがある。
【００１６】
図１は本発明の一実施形態に係る電子鍵盤楽器用黒鍵を備えた鍵盤装置の一部を示す斜視図であり、鍵盤の後部を中心に示している。この鍵盤装置は、樹脂製の複数の白鍵及び複数の黒鍵を後端部で結合してユニット化したものを組み合わせた構造を有している。図に示された黒鍵１ａ，１ｂは、各々鍵本体１０ａ，１０ｂの後端部から後方へ延びる支持板１０１ａ，１０１ｂを備えており、その後端部は複数の黒鍵を鍵並び方向に連結する連結バー５に結合されている。
【００１７】
図の手前側の黒鍵１ａについて説明すると、支持板１０１ａは、鍵本体１０ａの後端から、隣の黒鍵の同様の部材と干渉しない範囲で左右方向へ広がって延び、その左右両端の２箇所からさらに後方へばね板部１０２，１０３が延び、連結バー５に達している。ばね板部１０２，１０３は、黒鍵が押鍵及び離鍵されたときに弾性変形して自由端側を上下動させるように薄肉化され、回動支点部を形成している。図の奥側の黒鍵１ｂも同様の拡幅部及びばね板部を備え、ばね板部の後端が連結バー５に結合されている。黒鍵１ａのさらに手前側、及び黒鍵１ｂのさらに奥側には、図外の黒鍵があり、各々同様にして連結バー５に結合されている。こうして並ぶ黒鍵は、例えば、５〜１０個とすることができ、これにより１つの鍵ユニットを構成する。
【００１８】
白鍵も同様の構造を備えて連結されている。すなわち、図の手前側の白鍵２ａは、支持板２０１を備え、ばね板部２０２，２０３の後端が連結バー６に結合されている。奥側の白鍵２ｂも同様である。連結バー６は、連結バー５の下に重なって位置している。白鍵は、間に黒鍵を置かずに隣接して並ぶものがあるので、そのためにさらに下方に連結バー７が重ねられ、隣接する白鍵の支持板を連結バー６，７に振り分けて設け、相互に干渉しないようにされている。最も上に位置する連結バー５の後端部からは下方へフック５０１が延びている。連結バー５，６，７は前後左右にずれないように係合した状態で重ねられた後、フック５０１が図外の鍵フレームに係止され、さらに鍵フレームにねじ止めして固定される。これにより、３個の鍵ユニットがまとめて鍵フレームに固定されることとなる。
【００１９】
この実施形態では、黒鍵１ａのばね板部１０２，１０３の下に白鍵２ａのばね板部２０２，２０３が位置するというようにして、各黒鍵の２本のばね板部の間に空所が形成されている。ばね板部の下方には、鍵並び方向に光ファイバ束Ｆ０（図にはファイバのケースが示されている。以下同じ。）が延びており、光ファイバ束Ｆ０から引き出された光ファイバＦ１が鍵本体１０ａの後端部、光ファイバＦ２が鍵本体１０ｂの後端部に配置されるというようにして、各々１本の光ファイバが１つの黒鍵の鍵本体の後端部に出射端を向けて配設されている。白鍵については、ばね板部の下方の位置で、各白鍵の鍵本体の後端部に１本の光ファイバが出射端を向けて配設されている（図示せず）。
【００２０】
次に、本発明に係る黒鍵の具体的構造について、図１に示した鍵盤装置に用いられる黒鍵を例にとって説明する。以下の図では、黒鍵等の構造を模式的に示す。また、光照射は、図１のように光ファイバの出射端から行なうほか、ＬＥＤ等の発光体を鍵本体の後端部に配置して行なうことができるので、以下の図では、ＬＥＤと光ファイバ出射端のいずれかを適宜示し、これらを発光手段として記載する。
【００２１】
図２は、第１実施形態に係る黒鍵１を発光手段Ｃと共に示す縦断側面図である。黒鍵１は、上壁１１、側壁（図示せず）、自由端側の前壁１３、回動支点部側の後壁１４を有し、内部に中空部１５を形成している鍵本体１０を備え、後壁１４の下部は切欠かれて光導入部３０とされている。また、中空部１５には、ほぼ全体を埋める大きさの導光体４０が嵌められ、上壁１１の内面に沿って導光体４０との間に拡散層５０が設けられている。
【００２２】
鍵本体１０は、黒色系の半透明材料で形成されている。このような半透明材料は、基材として、ポリスチレン、ＡＳ樹脂、ＡＢＳ樹脂等を用いることができ、黒色系着色剤として、カーボンブラック、アニリンブラック等の顔料、染料等を用いることができる。
【００２３】
導光体４０は、透明なブロックで形成され、例えば、アクリル、ポリスチレン、ＡＳ樹脂、ＡＢＳ等の樹脂製とすることができる。
【００２４】
拡散層５０は、光を拡散しつつ透過させる層であり、例えば、該層を構成する基材樹脂中に屈折率の異なる微粒子を拡散剤として含んだものとすることができ、基材としてポリスチレン、ＡＢＳ、ＡＳ等を用い、拡散剤としてポリメチルメタクリレート架橋体や硫酸バリウム等の微粒子を含有したものとするなど、従来公知の光拡散性素材を用いることができる。その形態は、フィルムとして鍵本体１０と導光体４０との間に介在させ、或いは、塗膜として鍵本体１０又は導光体４０に塗布したものとすることができる。拡散層５０はまた、鍵本体１０又は導光体４０の面を粗面化することによっても形成することができる。さらに、上記フィルム、塗膜、粗面化を適宜組み合わせて拡散層５０を形成してもよい。拡散層５０は、導光体４０を伝搬する光が、拡散層５０に臨む面で全反射することなく拡散層５０側に漏出するように導光体４０に密着しているのが望ましい。
【００２５】
光導入部３０は、発光手段Ｃを導光体４０の端面に近接して配置できるように後壁１４の下部を切欠いて形成される。発光手段Ｃは、この実施形態では、図１に示した光ファイバＦの出射端とされているが、ＬＥＤ等の発光体を用いてもよい。また、発光手段Ｃからの光を導光体４０に効率よく導くために、図示のように導光体４０の下部に発光手段Ｃを受け入れる切欠き部４１を形成するのが望ましい。
【００２６】
黒鍵１は、このように構成されているので、鍵盤装置に組み込まれた状態で、発光手段Ｃから導光体４０に光が導入されると、光は導光体４０内を進行し、上方へ向く光は拡散層５０を経て上壁１１に達し、前方へ向く光は前壁１３に達する。下方及び側方へ向く光は一部が導光体から漏出するが、下面及び側面に対する光の角度によってかなりの部分が全反射され上方又は前方へ向きを変えた光は拡散層５０又は前壁１３に達する。前壁１３に到達した光及び拡散層５０で拡散された光は、前壁１３及び上壁１１を内側から照らす。その結果、外部から見ると前壁１３及び上壁１１のほぼ全域に亘る広い範囲（図中にＲで示す範囲）が光って見える。特に、微粒子を拡散剤として含有した拡散層においては、該層に到達した光は、微粒子で反射して散乱し、散乱した光が他の微粒子で反射して散乱するというように連鎖的に反射による散乱を繰り返しながら進行して拡散層外へと放出される。したがって、拡散層に入射する光の強度分布にムラがあっても、出射時にはより均質化された強度分布となって拡散層の面から放出される。その結果、拡散層を経た光で照らされる鍵本体の壁部は、広い範囲に亘って均質的に光って見える。
【００２７】
図３は、本発明の第２実施形態に係る黒鍵を示しており、(a) は縦断側面図、(b) は縦断正面図である。この黒鍵１は、第１実施形態のものと同様に上壁１１、側壁１２、前壁１３、後壁１４を有した鍵本体１０を備えているが、第１実施形態のものと拡散層の配置が異なっている。その他は、同じ構成である。以下の他の実施形態においても、その前の実施形態と異なる部分を中心に説明する。この実施形態では、拡散層５０は、上壁１１、側壁１２及び前壁１３の内面に沿って設けられており、前壁１３より後方での縦断正面図(b) が示すように、断面形状がほぼ逆Ｕ字形をなしている。
【００２８】
したがって、前述のように光導入部３０から導光体４０内を後方から前方に向けて進行する光は、上壁１１、側壁１２及び前壁１３の内面に沿って設けられた拡散層５０に到達し、該拡散層で拡散されてこれらの壁部を内側から照らす。その結果、黒鍵１の上壁１１、側壁１２及び前壁１３は、より均一化された状態で、ほぼ全域に亘る広い範囲（図中にＲで示す範囲）が光って見える。特に、上壁１１、側壁１２及び前壁１３の内面に沿って設けられた拡散層５０で拡散される光は、これらの壁部から外へ放出される他、鍵本体の内側へも向かうが、内側へ向かった光はさらに他の壁部の拡散層に到達しそこで拡散される。したがって、複数の壁部の拡散層間で光の拡散が繰り返されることにより、鍵本体の発光度合いが強められることになる。また、演奏者は、斜め上から鍵盤を見る結果、遠くにある黒鍵については、上壁を見る視野角が小さくなりその光を感知し難い場合があるが、上記のように側壁についても広い範囲が光るように見えることにより、遠くにある黒鍵についても光る状態を明確に感知することができる。
【００２９】
図４は、本発明の第３実施形態に係る黒鍵を示す縦断側面図である。この黒鍵１は、導光体４０の下面に沿って反射体６０が設けられている。反射体６０は導光体４０に向く面が粗面又は鏡面とされる。該面を粗面とした場合は、導光体４０から出た光が乱反射され、鏡面とした場合は、導光体４０から出た光が鏡面反射される。いずれの場合も、反射された光は導光体側へに向かうが、その反射形態により鍵本体１０に到達する光の強度分布が異なる。到達光は、反射体が粗面の場合にはより均一化され、鏡面の場合には均一性は高くないが部分的に強い強度が得られる。したがって、反射体６０の面状態は、これらの強度分布が黒鍵面で最適となるように選択されるのが望ましく、粗面部分と鏡面部分とを混在させてもよい。図４は、反射体６０が粗面の場合の反射光の状態を示している。なお、反射体６０の形態は、フィルムとして導光体４０に付着させ、或いは、導光体４０に塗布した塗膜とすることができる。また、反射体６０は、導光体４０を伝搬する光が、該反射体に臨む面で全反射することなく反射体側に漏出するように導光体４０に密着しているのが望ましい。
【００３０】
このように、導光体４０の下面に沿って反射体６０を設けることにより、導光体４０から下方へ漏出する光を鍵本体の照明に有効に利用することができるので、黒鍵１はより明るく光るように見える。
【００３１】
図５は、本発明の第４実施形態に係る黒鍵を示す縦断側面図である。この黒鍵１は、導光体４０の下面に沿って設けられた反射体６０が、前壁１３に近づくほど上昇するように傾斜して設けられている。黒鍵の上壁１１は前方へ向けて僅かに上昇するように傾斜している。したがって、このように反射体６０を同じ向きに傾斜させることにより、上壁１１と反射体６０との距離が鍵前方で広がることがなく、光導入部３０から前方へ伝搬する光は、反射体６０により効率よく前方へ伝搬される。鍵後部の光導入部３０から導入される光は鍵前部に到達し難いので、このように伝搬を効率化することにより、黒鍵１はより広い範囲に亘って明るく光るように見える。
【００３２】
図６は、本発明の第５実施形態に係る黒鍵を示す縦断側面図である。この黒鍵１は、反射体６０が、前壁１３に近づくほど上壁１１に接近するように傾斜している。したがって、図５に示したものより傾斜が強くなっており、光伝搬がより効率化されることにより、黒鍵１はさらに広い範囲に亘って明るく光るように見える。なお、前壁１３は、自由端から後方へ上昇して上壁１１に達する傾斜壁１３１を有しており、反射体６０の前端は、傾斜壁１３１の下端に位置している。黒鍵は、傾斜壁１３１の部分が白鍵より上に突出するので、この傾斜壁１３１に多量の光が到達することは、黒鍵１が広範囲に亘って光るように見える上で効果的である。このためには、反射体６０の前端は、傾斜壁１３１の下端より下方に位置していればよい。
【００３３】
図７は、本発明の第６実施形態に係る黒鍵を示しており、(a) は縦断側面図、(b) は縦断正面図である。この黒鍵１は、反射体６０における導光体４０に向く面が、黒鍵１の長手方向に垂直な断面において下方へ凸をなす形状となっている。すなわち、図７(b) に示すように、反射体６０は、中央の水平部６１と、側壁側の傾斜部６２とを備えており、水平部６１の両側に位置する傾斜部６２は、光導入部３０から水平乃至下方へ導入された光を上方に向けて反射する。これは、反射体６０の反射面が鏡面の場合には鏡面反射として上方へ方向付けられ、粗面の場合には乱反射された光がより多く上方へ向かうように方向付けられる。これにより、光導入部３０から導入された光は、より効率よく上方へ向けられ、黒鍵はより広い範囲に亘って明るく光るように見える。
【００３４】
図８は、本発明の第７実施形態に係る黒鍵を示す縦断側面図である。この黒鍵１は、反射体６０における導光体に向く面が、後方へ行くほど下方へ傾斜する後傾面６３を一部に備えている。この実施形態では、後傾面６３は、黒鍵１の後部寄りに設けられている。発光手段Ｃは、鍵前方まで多量の光が到達するように前方へ向く指向性を持つのが望ましい。一方、これに伴って鍵後部には光が到達し難くなり、鍵後部が暗く見える傾向を示す。これに対し、後傾面６３を設けることにより、発光手段Ｃからの光は、一部が後方へも反射されるので、黒鍵１は、後部も含めて、より広い範囲に亘って明るく光るように見える。
【００３５】
図９は、本発明の第８実施形態に係る黒鍵を示す縦断側面図である。この黒鍵１は、拡散層５０における前壁内面に沿う部分５１が他の部分より厚くされている。光導入部３０が鍵本体の後部に設けられている場合は、鍵前方の上壁及び側壁まで多量の光が到達するように指向性を持つのが望ましいが、これに伴って前壁１３の受光量が特に多くなり他の壁部に比べて特に明るくなる。これに対し、前壁内面に沿う拡散層部分５１を厚くすることにより、前壁１３からの光の透過量を減少させ、他の壁部とバランスのとれた明るさにすることができる。
【００３６】
図１０は、本発明の第９実施形態に係る黒鍵を示す縦断側面図である。この黒鍵１は、光導入部Ｃ３０が、鍵本体１０の後端部であって、白鍵の上面が位置する高さより下方に位置している。黒鍵１の後方には、楽器本体のカバー部材（パネル部）Ｓが、後壁１４に接近した位置に設けられる。鍵盤楽器にくみ込まれた状態で、黒鍵１の後端部は、白鍵上面の高さＨから上方へ延びるカバー部材Ｓにより覆われる。したがって、光導入部Ｃを上記の位置に設けることにより、上方から発光手段が直接見えるのを防止することができる。これ以外の位置、例えば、図１０のＰ１及びＰ２で示す位置に光導入部を設けることも可能ではあるが、その場合は発光手段から主として上方へ向く光が導入されることになり、鍵本体１０を透して発光手段の直上部分が特に明るく見えてしまいがちになるので望ましくない。Ｐ３のように前壁１３の前に発光手段を置くと白鍵の位置と干渉する。また、鍵本体１０の後端部であっても、白鍵上面の高さＨより上方に光導入部３０を設けると、その後方の位置Ｐ４に設けた発光手段からの光がカバー部材Ｓと黒鍵の後壁１４との隙間から直接見える場合がある。
【００３７】
図１１は、本発明の第１０実施形態に係る黒鍵を示す縦断正面図である。この黒鍵１は、側壁１２の内面に係止部１２１が設けられ、該係止部により中空部１５内に位置する部材が保持されている。この実施形態では、係止部１２１は側壁１２の下部から内側へ突出した爪状に形成されている。この係止部１２１に反射体６０の下面が係止し、該反射面より上の部材が中空部１５内に保持されている。
【００３８】
これにより、中空部１５内に位置する部材（拡散層、導光体及び／又は反射体）を黒鍵に取り付ける際には、側壁１２及び係止部１２１のいずれか又は双方を弾性変形させながら部材を中空部１５内へ係止部１２１の上方まで押し込めば、係止部１２１に係止させることができ、作業が容易となる。特に、黒鍵は白鍵と比べて幅が狭いので、中空部への取り付け作業が困難となりがちであるので、これによる作業能率の効果は大きい。
【００３９】
なお、この構造によって中空部１５内に保持される部材は、部材の構成によって異なる。すなわち、拡散層５０が導光体４０に付着している場合は、拡散層５０、導光体４０及び反射体６０が保持されることになる。一方、拡散層５０が鍵本体１０に付着されている場合は、導光体４０及び反射体６０が保持され、反射体６０がない場合は導光体４０（拡散層５０が導光体４０に付着している場合は拡散層５０及び導光体４０）が保持されることになる。
【００４０】
係止部１２１は、中空部１５内の部材を保持し得る種々の形状とすることができ、係止部を凹形状とし、保持される部材に凸部を設けて係合するようにしてもよい。
【００４１】
図１２は、本発明の第１１実施形態に係る黒鍵を示す縦断側面図である。この黒鍵１は、反射体６０の下部に、押鍵に応じて発音制御信号を発するスイッチＳＷを駆動するためのアクチュエータ７０が設けられている。これにより、反射体６０の下部に予めアクチュエータ７０を取り付けておけば、その反射体を鍵本体に取り付ける作業でアクチュエータを適切な位置に設けることができ、作業の効率化とアクチュエータの正確な位置決めが実現される。特に、アクチュエータは小さいスイッチを駆動するために小型のものが使用されるので単独では扱い難く、反射体に取り付けることにより、取付け作業や部品管理が簡易になる。
【００４２】
図１３は、本発明の第１２実施形態に係る黒鍵を示す縦断側面図である。この黒鍵１は、中空部１５において鍵本体１０に沿って配置され光を拡散しつつ透過させる拡散性導光体４５を備えている。すなわち、図２に示した黒鍵における導光体４０及び拡散層５０を拡散性導光体４５に置き換えたものである。この拡散性導光体４５は、透明な基材樹脂に前述の拡散層５０に用いられたような拡散剤を分散させたものとすることができ、光導入部３０から導入された光が黒鍵１の前端まで達して外部から光るように見える程度に透光性を有したものとされる。これにより、導光体及び拡散層を別個に設ける場合に比し、部品点数を減らし、コストの低減及び組立て作業の効率化を図ることができる。
【００４３】
また、この拡散性導光体４５の下面に沿わせて反射体を設けることもでき、反射体の構造として図４〜図８に記載したもの等を採用することができる。また、図１０〜図１２に示した構造を拡散性導光体４５を有した黒鍵に適用することも可能である。
【００４４】
本発明は、上記実施形態に限定されるものではなく、種々の変形が可能である。また、一つの実施形態の特徴部分は、機能を損ねない限り他の実施形態に適用することもできる。
【図面の簡単な説明】
【００４５】
【図１】図１は本発明の一実施形態に係る電子鍵盤楽器用黒鍵を備えた鍵盤装置の一部を示す斜視図である。
【図２】図１の鍵盤装置に使用し得る本発明に係る黒鍵の具体的構造についての第１実施形態を示す縦断側面図である。
【図３】本発明の第２実施形態に係る黒鍵を示しており、(a) は縦断側面図、(b) は縦断正面図である。
【図４】本発明の第３実施形態に係る黒鍵を示す縦断側面図である。
【図５】本発明の第４実施形態に係る黒鍵を示す縦断側面図である。
【図６】本発明の第５実施形態に係る黒鍵を示す縦断側面図である。
【図７】本発明の第６実施形態に係る黒鍵を示しており、(a) は縦断側面図、(b) は縦断正面図である。
【図８】本発明の第７実施形態に係る黒鍵を示す縦断側面図である。
【図９】本発明の第８実施形態に係る黒鍵を示す縦断側面図である。
【図１０】本発明の第９実施形態に係る黒鍵を示す縦断側面図である。
【図１１】本発明の第１０実施形態に係る黒鍵を示す縦断正面図である。
【図１２】本発明の第１１実施形態に係る黒鍵を示す縦断側面図である。
【図１３】本発明の第１２実施形態に係る黒鍵を示す縦断側面図である。
【符号の説明】
【００４６】
１，１ａ，１ｂ：黒鍵、    １０，１０ａ，１０ｂ：鍵本体、    １１：上壁、    １２：側壁、    １３：前壁、    １５：中空部、    ３０：光導入部、    ４０：導光体、    ４５：拡散性導光体、    ５０：拡散層、    ６０：反射体、    ６３：後傾面、    ７０：アクチュエータ、    １２１：係止部、    １３１：傾斜壁、    ５１：前壁内面に沿う拡散層部分、    Ｃ：発光手段、    ＳＷ：スイッチ
【図１】
0005182489.tif 000002
【図２】
0005182489.tif 000003
【図３】
0005182489.tif 000004
【図４】
0005182489.tif 000005
【図５】
0005182489.tif 000006
【図６】
0005182489.tif 000007
【図７】
0005182489.tif 000008
【図８】
0005182489.tif 000009
【図９】
0005182489.tif 000010
【図１０】
0005182489.tif 000011
【図１１】
0005182489.tif 000012
【図１２】
0005182489.tif 000013
【図１３】
0005182489.tif 000014